(57)【特許請求の範囲】
【請求項１】
テレビジョン信号にＱトリガを重畳させて収録し、収録したテレビジョン信号の再生時に重畳させたＱトリガを抜き出すテレビジョン信号収録・再生装置において、
入力されたＨＤＴＶ音声信号の所定外のレベル領域を取り除き出力するフィルタ手段と、
ＨＴＤＶ音声信号に重畳させるＱトリガを発生するＱトリガ発生手段と、
前記フィルタ手段から出力されたＨＤＴＶ音声信号の所望の時間的位置に、前記Ｑトリガ発生手段から出力されたＱトリガを重畳させ前記所定外のレベル領域の値として出力するＱトリガ付加手段と、
前記Ｑトリガ付加手段から出力されたＱトリガが重畳されたＨＴＤＶ音声信号を含むＨＤＴＶ信号素材の収録、再生を行うＨＴＤＶ信号蓄積手段と、
前記ＨＴＤＶ信号蓄積手段で再生されたＨＤＴＶ信号のうちＨＤＴＶ音声信号を監視し、前記所定外のレベル領域の値であるＱトリガを検出すると、当該Ｑトリガを自動番組運行装置に引き渡すとともに、再生されたＨＴＤＶ音声信号の当該Ｑトリガ位置の値を、当該Ｑトリガの前後のデータの平均値から本来の値として推定した値で置き換えて出力するＱトリガ検出手段とを有することを特徴とするＨＤＴＶ信号収録・再生装置。
【請求項２】
テレビジョン信号にＱトリガを重畳させて収録し、収録したテレビジョン信号の再生時に重畳させたＱトリガを抜き出すテレビジョン信号収録・再生装置のＱトリガ重畳方法において、
入力されたＨＤＴＶ信号のうちＨＤＴＶ音声信号の所定外のレベル領域を取り除き、この領域制限されたＨＤＴＶ音声信号の所望のＱトリガの時間的位置の値を、本来の値でなく、Ｑトリガとして識別するための予め設定された領域外の値に置き換えて収録し、
収録したＨＤＴＶ信号を再生する際、再生されたＨＤＴＶ音声信号の値を監視し、前記Ｑトリガとして識別するための値を検出した場合に、対応するＱトリガを自動番組運行装置に出力するとともに、再生されたＨＴＤＶ音声信号の当該Ｑトリガ位置の値を、当該Ｑトリガの前後のデータの平均値から本来の値として推定した値で置き換えて出力することを特徴とするＨＤＴＶ信号収録・再生装置のＱトリガ重畳方法。
【請求項３】
請求項１記載のＨＤＴＶ信号収録・再生装置と、自動番組運行装置とを有し、
前記ＨＤＴＶ信号収録・再生装置が、ＨＤＴＶ信号のうちＨＤＴＶ音声信号の所定外のレベル領域にＱトリガを重畳して収録し、収録したＨＤＴＶ信号を再生する際、再生されたＨＤＴＶ音声信号からＱトリガを抜き出すとともに、ＨＴＤＶ音声信号の当該Ｑトリガ位置の値を、当該Ｑトリガの前後のデータの平均値から本来の値として推定した値で置き換えて出力し、
前記自動番組運行装置が、前記ＨＤＴＶ信号収録・再生装置で検出されたＱトリガにより、ＨＤＴＶ信号のアンタイムイベントの運行制御を行うことを特徴とする自動番組運行システム。
【発明の詳細な説明】
【０００１】
【発明の属する技術分野】
本発明はＨＤＴＶ信号収録・再生装置、及びそのＱトリガ重畳方法に関し、特にディジタルの高解像度テレビジョン用信号であるＨＤＴＶ音声信号によるＱトリガの検出、及び番組運行制御を可能としたＨＤＴＶ信号収録・再生装置と、そのＱトリガ重畳方法と、それらを用いた自動番組運行システムとに関する。
【０００２】
【従来の技術】
従来、アナログテレビジョン信号（標準解像度）においては映像信号にＱ信号を重畳させ、Ｑ信号込みでカートマシン、ＶＴＲ等に収録し、再生時に映像信号に重畳されているＱ信号を検出し、自動番組運行装置によるアンタイムイベントの運行制御（実況中継などのような番組の進行状況に応じた運行制御）を行ってきた。
【０００３】
【発明が解決しようとする課題】
従来のアナログテレビジョン信号に対して用いられていた映像信号にＱ信号を重畳させる技術を、ハイビジョンなどのようなディジタルの高解像度テレビジョン（ＨＤＴＶ）信号に対して適用することは、まだ実用されていない。
【０００４】
本発明の目的は、音声信号にＱトリガを重畳させることにより、ＨＤＴＶ信号においても番組サーバ、ＶＴＲ等に収録されたＱトリガにより、自動番組運行装置においてアンタイムイベントの運行制御を可能とすることにある。
【０００５】
【課題を解決するための手段】
本発明のＨＤＴＶ信号収録・再生装置は、テレビジョン信号にＱトリガを重畳させて収録し、収録したテレビジョン信号の再生時に重畳させたＱトリガを抜き出すテレビジョン信号収録・再生装置において、入力されたＨＤＴＶ音声信号の所定外のレベル領域を取り除き出力するフィルタ手段と、ＨＴＤＶ音声信号に重畳させるＱトリガを発生するＱトリガ発生手段と、前記フィルタ手段から出力されたＨＤＴＶ音声信号の所望の時間的位置に、前記Ｑトリガ発生手段から出力されたＱトリガを重畳させ前記所定外のレベル領域の値として出力するＱトリガ付加手段と、前記Ｑトリガ付加手段から出力されたＱトリガが重畳されたＨＴＤＶ音声信号を含むＨＤＴＶ信号素材の収録、再生を行うＨＴＤＶ信号蓄積手段と、前記ＨＴＤＶ信号蓄積手段で再生されたＨＤＴＶ信号のうちＨＤＴＶ音声信号を監視し、前記所定外のレベル領域の値であるＱトリガを検出すると、当該Ｑトリガを自動番組運行装置に引き渡すとともに、再生されたＨＴＤＶ音声信号の当該Ｑトリガ位置の値を、当該Ｑトリガの前後のデータの平均値から本来の値として推定した値で置き換えて出力するＱトリガ検出手段とを有する。
【０００８】
本発明のＨＤＴＶ信号収録・再生装置のＱトリガ重畳方法は、テレビジョン信号にＱトリガを重畳させて収録し、収録したテレビジョン信号の再生時に重畳させたＱトリガを抜き出すテレビジョン信号収録・再生装置のＱトリガ重畳方法において、入力されたＨＤＴＶ信号のうちＨＤＴＶ音声信号の所定外のレベル領域を取り除き、この領域制限されたＨＤＴＶ音声信号の所望のＱトリガの時間的位置の値を、本来の値でなく、Ｑトリガとして識別するための予め設定された領域外の値に置き換えて収録し、収録したＨＤＴＶ信号を再生する際、再生されたＨＤＴＶ音声信号の値を監視し、前記Ｑトリガとして識別するための値を検出した場合に、対応するＱトリガを自動番組運行装置に出力するとともに、再生されたＨＴＤＶ音声信号の当該Ｑトリガ位置の値を、当該Ｑトリガの前後のデータの平均値から本来の値として推定した値で置き換えて出力する工程を有する。
【００１１】
本発明の自動番組運行システムは、上記構成のＨＤＴＶ信号収録・再生装置と、自動番組運行装置とを有し、前記ＨＤＴＶ信号収録・再生装置が、ＨＤＴＶ信号のうちＨＤＴＶ音声信号の所定外のレベル領域にＱトリガを重畳して収録し、収録したＨＤＴＶ信号を再生する際、再生されたＨＤＴＶ音声信号からＱトリガを抜き出すとともに、ＨＴＤＶ音声信号の当該Ｑトリガ位置の値を、当該Ｑトリガの前後のデータの平均値から本来の値として推定した値で置き換えて出力し、前記自動番組運行装置が、前記ＨＤＴＶ信号収録・再生装置で検出されたＱトリガにより、ＨＤＴＶ信号のアンタイムイベントの運行制御を行う構成である。
【００１２】
【発明の実施の形態】
本発明は、番組サーバ等のＨＤＴＶ信号収録・再生装置において、音声信号にＱトリガを重畳（置換、挿入）させて収録し、再生時にＱトリガを抜き出すことを特徴としている。このＱトリガを用いての自動番組運行装置にてアンタイムイベントの運用等を行うことができる。なお、アンタイムイベント運行制御とは、ドラマ等のように確定時間での運行ではなく、野球等の番組のＣＭ等のように、進行具合により番組を運行する制御のことをいう。また、送り局（キー局など）のＱ信号により、受け局（地方局など）は、ＣＭ等を自局ＣＭに差し替える処理を行っているが、このＱ信号により運行するイベント（運行データ）をＱイベント、イベント制御することをＱ−ＴＡＫＥと言う。
【００１３】
次に、本発明の実施の形態について図面を参照して詳細に説明する。
【００１４】
図１は本発明の実施の形態を示すブロック構成図であり、ＨＤＴＶ信号収録・再生装置のうち、本発明に関係する部分のみ示している。
【００１５】
図１において、本例のＨＤＴＶ信号収録・再生装置は、フィルタ１，Ｑトリガ発生器２，Ｑトリガ付加装置３，番組サーバ４，及びＱトリガ検出装置５を有し、ＨＤＴＶ音声信号にＱトリガを付加して収録し、再生時にＱトリガを検出すると自動番組運行装置６に渡し、アンタイムイベント制御をさせる。
【００１６】
フィルタ１は、入力されたＨＤＴＶ音声信号の所定外のレベルの余分な領域を取り除き出力する。
【００１７】
Ｑトリガ発生器２は、ＨＴＤＶ音声信号に重畳させるＱトリガを発生する。
【００１８】
Ｑトリガ付加装置３は、フィルタ１から出力されたＨＤＴＶ音声信号に、Ｑトリガ発生器２から出力されたＱトリガを重畳（フィルタ１の透過帯域外の値に設定）させ出力する。
【００１９】
番組サーバ４は、ＨＤＴＶ信号素材を収録し、また再生する装置であり、ＨＴＤＶ音声信号として、Ｑトリガ付加装置３から出力された信号の収録、再生を行う。図示していない回路を通してＨＴＤＶ映像信号やその他必要な信号の収録、再生も行う。
【００２０】
Ｑトリガ検出装置５は、番組サーバ４で再生されたＨＤＴＶ音声信号中のＱトリガを検出し、自動番組運行装置６に渡すと共に、ＨＴＤＶ音声信号中のＱトリガの値を破棄し、前後のデータの平均値から本来の値を推定し置きかえ、ＨＤＴＶ音声信号として出力する。
【００２１】
自動番組運行装置６は、放送スケジュールによって作られたデータを元に、自動でＶＴＲ等の機器や、マトリックススイッチを制御して番組の運行の制御を行う装置であり、Ｑトリガ検出装置５から出力されたＱトリガによるアンタイムイベントの運行制御を行う。
【００２２】
このようにして本発明では、ＨＤＴＶ音声信号にＱトリガを重畳（置換）させ番組サーバに収録し、再生時にＱトリガを検出し、自動番組運行装置に渡すことによってＱトリガによるアンタイムイベント制御の運用が可能となる。
【００２３】
次に、本発明の実施の形態の動作について、図１とともに、図２乃至図４を参照して詳細に説明する。
【００２４】
フィルタ１により所定外のレベルの余分な領域の信号を取り除かれたＨＤＴＶ音声信号は、Ｑトリガ付加装置３に入力される（図２）。
【００２５】
ここで、Ｑトリガ発生器２からのＱトリガにより、入力音声信号のＱトリガのタイミング位置の値を、本来の値でなく、Ｑトリガとして識別するためのフィルタ透過領域外の予め設定された値にすげかえて、ＨＤＴＶ映像信号等の他の必要な信号と共にＨＤＴＶ素材として番組サーバ４に収録する（図３）。
【００２６】
番組サーバ４でＨＤＴＶ素材を再生した場合に、Ｑトリガが重畳されたＨＤＴＶ音声信号はＱトリガ検出装置５に入力され、上記で設定されたＱトリガを識別するための値を検出した場合に、Ｑトリガを自動番組運行装置６に出力する。またＱトリガと識別した値を破棄し、Ｑトリガの前後の値から平均値により、算出した値をデータとし、ＨＤＴＶ音声信号の再生を行う（図４）。
【００２７】
自動番組運行装置６では、入力されたＱトリガにより、Ｑ−ＴＡＫＥによるアンタイムイベントの運行制御を行うことが可能となる。
【００２８】
次に本発明の他の実施の形態を説明する。
【００２９】
上述した実施の形態例では、ＨＤＴＶの音声素材にＱトリガを重畳させて収録し、再生時に検出するシステムをあげているが、同様の方法でＨＤＴＶ音声信号だけでなく、従来のアナログ標準解像度テレビジョン信号（ＳＤＴＶ信号）の音声信号にＱトリガを重畳させ収録し、再生時に検出するシステムも可能である。
【００３０】
また、音声信号の収録・再生手段も、番組サーバだけではなく、ＶＴＲ等を使用することができる。
【００３１】
【発明の効果】
本発明によれば、従来、アナログテレビジョン信号で行っていたＱ信号込みで番組サーバまたはＶＴＲ等に収録し、再生時に検出したＱ信号によるアンタイムイベントの運行制御と同様の制御を、ＨＤＴＶ信号に対しても行うことができる。
【図面の簡単な説明】
【図１】本発明の一実施の形態を示すブロック構成図である。
【図２】本発明の動作を説明するための第１の図である。
【図３】本発明の動作を説明するための第２の図である。
【図４】本発明の動作を説明するための第３の図である。
【符号の説明】
１    フィルタ
２    Ｑトリガ発生器
３    Ｑトリガ付加装置
４    番組サーバ
５    Ｑトリガ検出装置
６    自動番組運行装置
【図１】
0003570347.tif 000002
【図２】
0003570347.tif 000003
【図３】
0003570347.tif 000004
【図４】
0003570347.tif 000005